(57)【要約】【課題】左右方向に沿った寸法が増大する事態を抑え、かつ製造の作業性を損なうことなく十分な水密性を確保する。【解決手段】枠体１０の四周には、閉じ位置に配置された障子２２の水密設定面２２Ａに当接される一連の枠タイト材１５が設けられ、ヒンジ軸心Ｃは、障子２２が閉じ位置に配置された場合に水密設定面２２Ａを超えて室内側に位置するように設けられ、連結框２１には、閉じ位置に配置された障子２２に対向する部位に装着溝２１ｆが設けられ、装着溝２１ｆには、閉じ位置に配置された障子２２に当接されるとともに、上下両端部がそれぞれ枠タイト材１５に当接する框タイト材５０が装着されており、連結框２１において少なくとも枠タイト材１５に対向する部分には、框タイト材５０の見付け面に連続する平面で框タイト材５０の相互間を埋める当接板部６１を有したキャップ部材６０が装着されている。【選択図】図１２
2019206831.tif 000002
【特許請求の範囲】
【請求項１】
連結框に設けたヒンジ要素と障子に設けたヒンジ要素とをヒンジ軸心を中心として相対的に回転可能に連係することにより前記連結框の両側にそれぞれ障子が支持されており、２枚の障子が互いに直線上に沿って配置された閉じ位置と、互いに折れ曲がって配置された開き位置とに移動する折れ戸であって、
枠体の四周には、前記閉じ位置に配置された障子の水密設定面に当接される枠タイト材が設けられ、
前記ヒンジ軸心は、前記障子が前記閉じ位置に配置された場合に前記水密設定面を超えて位置するように設けられ、
前記連結框には、前記閉じ位置に配置された障子に対向する部位に装着溝が設けられ、前記装着溝には、前記閉じ位置に配置された障子に当接されるとともに、上下両端部がそれぞれ前記枠タイト材に当接する框タイト材が装着されており、
前記連結框において少なくとも前記枠タイト材に対向する部分には、前記框タイト材の見付け面に連続する平面で前記框タイト材の相互間を埋める当接板部を有したキャップ部材が装着されていることを特徴とする折れ戸。
【請求項２】
前記キャップ部材には、前記ヒンジ要素を覆う見込みカバー部が一体に設けられていることを特徴とする請求項１に記載の折れ戸。
【請求項３】
前記障子は、四周に框材を備えて構成され、
前記ヒンジ要素が設けられる框材は、断熱材を挟んで見込み方向に連結された２つの金属部分を有し、
前記金属部分の一方にのみ前記ヒンジ要素が設けられていることを特徴とする請求項１に記載の折れ戸。
【請求項４】
前記障子は、左右の縦框の間に上下の横框を連結することによって構成され、
前記横框の小口面及び前記縦框において前記横框の小口面に対向する側面の少なくとも一方には、前記横框の小口面を前記縦框の側面に当接した場合に前記横框が前記連結框に連結した縦框に向かうに従って漸次上方となるように傾斜させる突部が設けられていることを特徴とする請求項１に記載の折れ戸。
【請求項５】
前記横框は、前記小口面に開口するネジ螺合部を有し、前記縦框に設けたネジ挿通孔を介して前記ネジ螺合部に取付ネジを螺合することによって前記縦框に連結されるものであり、
前記縦框の側面において前記ネジ挿通孔の周囲となる部位に前記突部が設けられていることを特徴とする請求項４に記載の折れ戸。
【請求項６】
前記連結框のヒンジ要素は、前記連結框とは別体の部品として構成され、その左右両端部にそれぞれ前記障子のヒンジ要素との連係部が設けられていることを特徴とする請求項１に記載の折れ戸。
【発明の詳細な説明】
【技術分野】
【０００１】
本発明は、連結框の両側にそれぞれヒンジ軸心を中心として障子が回転可能に支持された折れ戸に関するものである。
【背景技術】
【０００２】
２枚の障子の間に連結框を備えた折れ戸では、連結框及びそれぞれの障子にヒンジ要素が設けられ、これらのヒンジ要素が上下に沿ったヒンジ軸心を中心として回転可能に連係されている。この折れ戸では、２枚の障子が互いに直線上に沿って配置された閉じ位置と、互いに折れ曲がって配置された開き位置とに移動することで、枠体の開口部を開閉することが可能である。
【０００３】
枠体と障子との間は、障子が閉じ位置に配置された際に水密性が確保される構成となっている。すなわち、枠体の室外に臨む部分には、四周で一繋がりとなるように連続した枠タイト材が設けられている。一方、障子には、閉じ位置に配置された場合に枠タイト材に対向する部分に水密設定面が設定されている。水密設定面は、障子が閉じ位置に配置された場合に枠タイト材が当接される平面である。また、障子のヒンジ要素には、装着溝が設けられている。装着溝は、上下に沿って延在し、障子が閉じ位置に配置された場合に連結框に対向するものである。この装着溝には、框タイト材が装着されている。框タイト材は、障子が閉じ位置に配置された際に連結框に当接するとともに、上下両端部がそれぞれ枠タイト材に当接されるように設けられたものである（例えば、特許文献１参照）。
【０００４】
上記のように構成された折れ戸では、障子が閉じ位置に配置された場合、枠タイト材に対して障子及び連結框を当接させることができるようになる。また、障子のヒンジ要素に装着された框タイト材は、上下両端部が枠タイト材に当接した状態で連結框に当接されることになる。従って、この折れ戸によれば、雨水等の室外の水が室内に浸入したり、室外の空気が室内に進入する事態を防止することが可能となる。
【先行技術文献】
【特許文献】
【０００５】
【特許文献１】特開２０１５−１９６９７４号公報（図６，図７）
【発明の概要】
【発明が解決しようとする課題】
【０００６】
ところで、連結框を備えた折れ戸では、連結框と障子との間に挟まれるようにヒンジ軸心が設けられると、左右方向に沿った寸法が大きくなる。このため従来では、ヒンジ軸心の位置を室内側に設定することにより、左右方向に沿った寸法の小型化を図るようにした折れ戸も提供されている。図１５及び図１６は、特許文献１に記載された折れ戸を示すものである。この折れ戸でも、障子１が閉じ位置に配置された場合にヒンジ軸心Ｃが水密設定面ＰＬを超えて室内側に位置しているため、連結框２と障子１との相互間隔を小さくすることができ、左右方向に沿った寸法が大きくなる事態を防止することが可能となる。
【０００７】
こうした折れ戸にあっても、上述した水密性の確保のため、連結框２の上下両端部を枠体の枠タイト材ＷＴに当接させる必要がある。このため、この種の折れ戸では、連結框２の上下両端部に位置するヒンジ要素３，４を切除し、上述の問題を解決するようにしている。具体的には、プレス機械にヒンジ要素３，４をセットし、ポンチとダイスとによって該当部分のヒンジ要素３，４を切り取ることにより、連結框２の端部を枠タイト材ＷＴに当接させるようにしている。
【０００８】
ここで、障子１のヒンジ要素３には、上述したように、框タイト材ＫＴを装着するための装着溝５が設けられている。図に示した従来の折れ戸では、ヒンジ要素３に２つの溝用突条６を形成し、これら溝用突条６の相互間に装着溝５を構成するようにしている。この装着溝５は、装着された框タイト材ＫＴの上下両端部を枠タイト材ＷＴに当接させる必要があるため、水密設定面ＰＬよりも室外側において、できるだけ水密設定面ＰＬに近接して設けることが好ましい。図示の折れ戸では、室内側に設けた溝用突条６の室内に臨む側面６ａが水密設定面ＰＬに一致するように装着溝５が設けられている。
【０００９】
しかしながら、上述した障子１のヒンジ要素３では、図１６に示すように、水密設定面ＰＬに近接して溝用突条６が設けられている。このため、障子１のヒンジ要素３を切除する際に切断面が水密設定面ＰＬと一致するようにポンチ及びダイスをセットすることが困難となり、切除後の連結框２に切り残しの段部７が生じることになる。この結果、障子１を閉じ位置に配置した場合にも、枠タイト材ＷＴに対して連結框２の段部７が当接するため、互いの間に隙間が生じて室外の水が室内側に浸入する懸念がある。上述の問題は、ヒンジ要素３を切除した後に、研削加工等の後加工を施せば解決可能である。しかしながら、こうした方法は、製造の作業性を考慮した場合、必ずしも好ましいとはいえない。
【００１０】
本発明は、上記実情に鑑みて、左右方向に沿った寸法が増大する事態を抑え、かつ製造の作業性を損なうことなく十分な水密性を確保することのできる折れ戸を提供することを目的とする。
【課題を解決するための手段】
【００１１】
上記目的を達成するため、本発明に係る折れ戸は、連結框に設けたヒンジ要素と障子に設けたヒンジ要素とをヒンジ軸心を中心として相対的に回転可能に連係することにより前記連結框の両側にそれぞれ障子が支持されており、２枚の障子が互いに直線上に沿って配置された閉じ位置と、互いに折れ曲がって配置された開き位置とに移動する折れ戸であって、枠体の四周には、前記閉じ位置に配置された障子の水密設定面に当接される枠タイト材が設けられ、前記ヒンジ軸心は、前記障子が前記閉じ位置に配置された場合に前記水密設定面を超えて位置するように設けられ、前記連結框には、前記閉じ位置に配置された障子に対向する部位に装着溝が設けられ、前記装着溝には、前記閉じ位置に配置された障子に当接されるとともに、上下両端部がそれぞれ前記枠タイト材に当接する框タイト材が装着されており、前記連結框において少なくとも前記枠タイト材に対向する部分には、前記框タイト材の見付け面に連続する平面で前記框タイト材の相互間を埋める当接板部を有したキャップ部材が装着されていることを特徴とする。
【００１２】
この発明によれば、連結框に装着溝を設けるようにしているため、障子のヒンジ要素を水密設定面に沿って容易に切除することが可能となる。従って、枠タイト材に対して当接する部分に段差が生じるおそれがなくなる。しかも、連結框については、框タイト材の相互間が連続した平面となるようにキャップ部材を配設しているため、十分な水密性を確保することができるとともに、外観品質の向上を図ることも可能となる。
【００１３】
また本発明は、上述した折れ戸において、前記キャップ部材には、前記ヒンジ要素を覆う見込みカバー部が一体に設けられていることを特徴とする。
【００１４】
この発明によれば、ヒンジ要素についてもキャップ部材によって覆い隠すことができ、外観品質の点でさらに有利となる。
【００１５】
また本発明は、上述した折れ戸において、前記障子は、四周に框材を備えて構成され、前記ヒンジ要素が設けられる框材は、断熱材を挟んで見込み方向に連結された２つの金属部分を有し、前記金属部分の一方にのみ前記ヒンジ要素が設けられていることを特徴とする。
【００１６】
この発明によれば、ヒンジ要素が設けられる框材が断熱材を挟んで２つの金属部分を有しているため、例えばヒンジ要素が設けられた金属部分が室内に配置された場合にもヒンジ要素に結露が生じる事態を招来するおそれがない。
【００１７】
また本発明は、上述した折れ戸において、前記障子は、左右の縦框の間に上下の横框を連結することによって構成され、前記横框の小口面及び前記縦框において前記横框の小口面に対向する側面の少なくとも一方には、前記横框の小口面を前記縦框の側面に当接した場合に前記横框が前記連結框に連結した縦框に向かうに従って漸次上方となるように傾斜させる突部が設けられていることを特徴とする。
【００１８】
この発明によれば、縦框に対して横框を取り付けた場合に、横框が連結框に連結した縦框に向けて漸次上方となるように傾斜する。従って、障子が開き位置に配置された状態においても、連結框が下方に垂れ下がる事態を防止することができる。
【００１９】
また本発明は、上述した折れ戸において、前記横框は、前記小口面に開口するネジ螺合部を有し、前記縦框に設けたネジ挿通孔を介して前記ネジ螺合部に取付ネジを螺合することによって前記縦框に連結されるものであり、前記縦框の側面において前記ネジ挿通孔の周囲となる部位に前記突部が設けられていることを特徴とする。
【００２０】
この発明によれば、取付ネジを螺合すれば、突部が確実に横框の小口面に当接することになり、横框を精度良く傾斜させることが可能となる。
【００２１】
また本発明は、上述した折れ戸において、前記連結框のヒンジ要素は、前記連結框とは別体の部品として構成され、その左右両端部にそれぞれ前記障子のヒンジ要素との連係部が設けられていることを特徴とする。
【００２２】
この発明によれば、一つの部品に左右の障子のヒンジ要素が連係されるため、２つの障子の相対位置を正確に規定することが可能となる。
【発明の効果】
【００２３】
本発明によれば、連結框に装着溝を設けるようにしているため、障子のヒンジ要素を水密設定面に沿って容易に切除することが可能となる。従って、枠タイト材に対して当接する部分に段差が生じるおそれがなくなる。しかも、連結框については、框タイト材の相互間が連続した平面となるようにキャップ部材を配設しているため、十分な水密性を確保することができるとともに、外観品質の向上を図ることも可能となる。
【図面の簡単な説明】
【００２４】
【図１】本発明の実施の形態である折れ戸を室内側から見た図である。
【図２】図１に示した折れ戸を障子の部分で破断した縦断面図である。
【図３】図１に示した折れ戸において障子が閉じ位置に配置された状態の横断面図である。
【図４】図１に示した折れ戸において障子が開き位置に配置された状態の横断面図である。
【図５】図１に示した折れ戸を連結框の部分で破断した要部縦断面図である。
【図６】図１に示した折れ戸において連結框と障子との連結部分を示すもので、連結框のヒンジ要素を取り付ける以前の状態を示す要部斜視図である。
【図７】図１に示した折れ戸において連結框と障子との連結部分を示すもので、連結框にヒンジ要素を取り付けた状態の要部斜視図である。
【図８】図１に示した折れ戸において連結框と障子との連結部分を示すもので、連結框及びヒンジ要素をカバー部材によって覆った状態の要部斜視図である。
【図９】図１に示した折れ戸において連結框と障子との連結部分を示すもので、連結框にキャップ部材を装着した状態の要部斜視図である。
【図１０】図１に示した折れ戸の要部を概念的に示すもので、縦框のヒンジ要素を切断する以前の状態を示す横端面図である。
【図１１】図１に示した折れ戸の要部を概念的に示すもので、縦框のヒンジ要素を切断した状態の横端面図である。
【図１２】図１に示した折れ戸の要部を概念的に示すもので、連結框にキャップ部材を装着した状態の横端面図である。
【図１３】図１に示した折れ戸の障子を構成する上方の横框及び縦框を示すもので、（ａ）は上方の横框において傾斜の下方側となる小口面と縦框との要部分解斜視図、（ｂ）は上方の横框において傾斜の上方となる小口面と縦框との要部分解斜視図である。
【図１４】図１に示した折れ戸に適用する障子の上方の横框及び縦框の連結状態を概念的に示す縦断面図である。
【図１５】従来の折れ戸の要部を示す横断面図である。
【図１６】図１５に示した折れ戸においてヒンジ要素を切断した状態を一部拡大して示す図である。
【発明を実施するための形態】
【００２５】
以下、添付図面を参照しながら本発明に係る折れ戸の好適な実施の形態について詳細に説明する。
図１〜図５は、本発明の実施の形態である折れ戸を示したものである。ここで例示する折れ戸は、建物において室内外を仕切る壁の開口部に設置されるもので、枠体１０の内部に２組の障子ユニット２０を備えて構成してある。枠体１０は、上枠１１、下枠１２及び左右の縦枠１３を四周枠組みすることによって構成したものである。図には明示していないが、左右の縦枠１３は、互いに対称の構成となるものを適用している。枠体１０を構成するそれぞれの枠材１１，１２，１３は、アルミニウム合金等の金属によって成形した押し出し形材である金属枠部１１Ａ，１２Ａ，１３Ａと、樹脂によって成形した押し出し形材である樹脂枠部１１Ｂ，１２Ｂ，１３Ｂとを備えており、金属枠部１１Ａ，１２Ａ，１３Ａが室外側となる状態で建物に取り付けてある。図示の例では、それぞれの金属枠部１１Ａ，１２Ａ，１３Ａにおいて見込み方向に直交する同一の鉛直面上に見付けヒレ部１１Ａａ，１２Ａａ，１３Ａａが設けてあり、個々の見付けヒレ部１１Ａａ，１２Ａａ，１３Ａａに樹脂枠部１１Ｂ，１２Ｂ，１３Ｂがネジ１４によって取り付けてある。
【００２６】
ここで、見込み方向とは、図中の矢印Ａで示すように、折れ戸の奥行きに沿った方向である。見込み方向に沿った面については見込み面と称する場合がある。見付け方向は、上枠１１や下枠１２等のように水平方向に沿って延在するものの場合、見込み方向に直交した上下に沿う方向である。縦枠１３等のように上下方向に沿って延在するものの場合には、見込み方向に直交した水平に沿う方向を見付け方向という。見付け方向に沿った面については、見付け面と称する場合がある。
【００２７】
図からも明らかなように、上枠１１及び左右の縦枠１３については、単一の部材として金属枠部１１Ａ，１３Ａが一体成形してある。これに対して下枠１２の金属枠部１２Ａは、断熱材１２Ｃを挟んで室外側部分１２Ｄと室内側部分１２Ｅとが連結された構成となっている。下枠１２の見付けヒレ部１２Ａａは、室内側部分１２Ｅに設けてある。
【００２８】
枠材１１，１２，１３の樹脂枠部１１Ｂ，１２Ｂ，１３Ｂには、枠タイト材１５が装着してある。枠タイト材１５は、四周で同一の断面形状を有するもので、見付けヒレ部１１Ａａ，１２Ａａ，１３Ａａよりも内周側となる部位の室外に臨む見付け面に配設してある。図には明示していないが、左右の縦枠１３に装着した枠タイト材１５には、それぞれの上端部に上枠１１に装着した枠タイト材１５の端部が連結してあるとともに、それぞれの下端部に下枠１２に装着した枠タイト材１５の端部が連結してある。つまり、枠タイト材１５は、四周で一繋がり（一連）の構成となるように成形したものである。
【００２９】
２組の障子ユニット２０は、それぞれ上下に沿って延在する連結框２１の左右にそれぞれ障子２２を連結することによって構成したものである。それぞれの障子ユニット２０は、一方の障子２２が開閉ヒンジ２３によって縦枠１３に支持してあり、かつ他方の障子２２が開閉ヒンジ２３によって可動方立枠２４に支持してある。可動方立枠２４は、図には明示していないが、上枠１１と下枠１２との間に上下方向に沿って延在し、上枠１１及び下枠１２の延在方向に沿って左右にスライド可能となるように配設したもので、それぞれの障子ユニット２０ごとに用意してある。本実施の形態では、枠体１０の枠材１１，１２，１３と同様、アルミニウム合金等の金属によって成形した金属方立枠部２４Ａと、樹脂によって成形した樹脂方立枠部２４Ｂとを備え、金属方立枠部２４Ａが室外側となる状態で障子ユニット２０の相互間に並設してある。以下、障子ユニット２０の構成について説明し、併せて本願発明の特徴部分について詳述する。なお、２組の障子ユニット２０は、互いに左右対称の構成を有したものである。このため、以下においては室内側から見て左側に配置される一方の障子ユニット２０についてのみ説明を行う。
【００３０】
図５〜図１２に示すように、障子ユニット２０の連結框２１は、アルミニウム合金等の金属によって成形した押し出し形材から成る框筒部２１ａを有したものである。框筒部２１ａは、見込み方向に沿った寸法が枠材１１，１２，１３よりも小さく構成した角筒状を成すもので、上下両端部が上枠１１の枠タイト材１５及び下枠１２の枠タイト材１５に対して同時に当接することのできる長さを有している。この框筒部２１ａには、室内に臨む見付け面に長手に沿って２つのカバー保持ヒレ部２１ｂが設けてあり、さらにカバー保持ヒレ部２１ｂの相互間に係合溝２１ｃが設けてある。
【００３１】
カバー保持ヒレ部２１ｂは、框筒部２１ａの見付け面２１ｄから室内に向けて互いに平行となるように延在した平板状を成すもので、個々の延在縁部に係合突条２１ｅを有している。係合突条２１ｅは、カバー保持ヒレ部２１ｂの延在縁部から互いに離隔する方向に突出したものである。このカバー保持ヒレ部２１ｂには、樹脂製のカバー部材３０が装着してある。カバー部材３０は、見付けカバー部３１と、見付けカバー部３１において框筒部２１ａに対向する部分に設けた２つのヒレ保持突条部３２とを一体に成形したものである。見付けカバー部３１は、框筒部２１ａの見付け面２１ｄ及び後述するヒンジブラケット４０を室内側から覆うためのもので、框筒部２１ａよりも大きな幅に成形してある。ヒレ保持突条部３２は、互いの間に２つのカバー保持ヒレ部２１ｂを挿入することのできる間隔を確保して設けた中空の突出部である。見付けカバー部３１とヒレ保持突条部３２との連結部分には、係合突条２１ｅを嵌入することのできる嵌入溝３２ａが設けてある。上述の構成を有するカバー部材３０は、カバー保持ヒレ部２１ｂの相互間にカバー保持ヒレ部２１ｂを挿入するとともに、嵌入溝３２ａに係合突条２１ｅを挿入することによって連結框２１に装着されることになる。
【００３２】
カバー保持ヒレ部２１ｂ及びこれに装着したカバー部材３０は、框筒部２１ａの上下両端部に位置する部分が切除してある。従って、上枠１１の枠タイト材１５及び下枠１２の枠タイト材１５に対しては、カバー保持ヒレ部２１ｂやカバー部材３０が干渉することなく、框筒部２１ａを近接して対向配置することが可能である。
【００３３】
係合溝２１ｃは、框筒部２１ａの筒内部に膨出する部分に内部空間を有する凹部であり、框筒部２１ａの室内に臨む見付け面２１ｄには開口が設けられるのみである。すなわち、カバー保持ヒレ部２１ｂが切除された上下両端部においては、框筒部２１ａの室内に臨む見付け面２１ｄが見込み方向に直交する鉛直面に沿って平坦であり、その中央部に上下に沿って係合溝２１ｃが開口した構成となる。係合溝２１ｃの左右に沿った開口の幅は、内部空間の幅よりも小さい寸法に形成してある。
【００３４】
この係合溝２１ｃには、カバー保持ヒレ部２１ｂを切除した上下両端部にそれぞれヒンジブラケット４０が装着してある。ヒンジブラケット４０は、連結框２１のヒンジ要素となるもので、連結框２１とは別部品として構成してある。本実施の形態では、基準板部４１、係合突起部４２、２つのヒンジアーム部４３を鋼材等の金属によって一体に成形した左右対称形状のヒンジブラケット４０を適用している。基準板部４１は、框筒部２１ａの室内に臨む見付け面２１ｄに当接することのできる幅を有した平板状を成すものである。係合突起部４２は、基準板部４１において框筒部２１ａに対向する表面から突出したもので、先端部が係合溝２１ｃの内部空間に嵌合する幅を有し、かつ基端部が係合溝２１ｃの開口に挿通可能となる幅を有している。ヒンジアーム部４３は、基準板部４１の両端部から室内に向けて延在するに従って、漸次相互間隔が大きくなるように傾斜したものである。ヒンジアーム部４３の延在縁部には、それぞれ框側ヒンジ孔（連係部）４４が貫通している。框側ヒンジ孔４４は、それぞれが上下方向に沿って延在する断面円形の貫通孔であり、互いに同一の内径となるように構成してある。
【００３５】
このヒンジブラケット４０は、係合突起部４２を係合溝２１ｃに挿入することによって連結框２１に取り付けられた状態に維持される。連結框２１に取り付けられたヒンジブラケット４０は、それぞれの框側ヒンジ孔４４が、框筒部２１ａの室内に臨む見付け面２１ｄから室内側に向けて互いに等距離だけ突出し、かつ框筒部２１ａを左右に二等分する仮想の鉛直面に対して互いに等距離となる位置に配置される。ヒンジブラケット４０が取り付けられる箇所は、上枠１１の枠タイト材１５よりも下方であり、下枠１２の枠タイト材１５よりも上方である。上下のヒンジブラケット４０で框側ヒンジ孔４４がそれぞれ同一の軸心（ヒンジ軸心）Ｃ上に配置されるのはいうまでもない。
【００３６】
また框筒部２１ａには、左右の外側面にそれぞれ長手に沿って装着溝２１ｆが設けてある。装着溝２１ｆは、それぞれ框筒部２１ａの外側面に設けた２つの溝用突条２１ｇの相互間に構成してある。溝用突条２１ｇは、個々の先端縁部が互いに近接する方向に向けて屈曲しており、互いの間に構成される開口幅が内部空間よりも狭幅となっている。室内側の溝用突条２１ｇは、室内に臨む見付け面が、框筒部２１ａの室内に臨む見付け面２１ｄよりもわずかだけ室内側に突出するように構成してある。
【００３７】
この装着溝２１ｆには、それぞれの全長にわたる部位に框タイト材５０が装着してある。框タイト材５０は、硬質樹脂から成る取付部５１と、軟質樹脂から成る圧接部５２とを二色成形によって構成したもので、取付部５１を介して装着溝２１ｆに取り付けてある。左右の框タイト材５０は、それぞれの圧接部５２が室外側に向けて延在する向きに装着してあり、装着溝２１ｆの外部に露出した部分がそれぞれ室内側の溝用突条２１ｇよりもさらに室内側に突出している。
【００３８】
これら框タイト材５０の相互間となる部分には、キャップ部材６０が装着してある。キャップ部材６０は、樹脂によって成形したもので、当接板部６１及び見込みカバー部６２を有している。当接板部６１は、框筒部２１ａの室内に臨む見付け面２１ｄにおいて框タイト材５０の相互間となる部位を覆う板状部分である。当接板部６１の室内に臨む表面は、後述する障子２２の水密設定面２２Ａに一致する平面であり、框タイト材５０において溝用突条２１ｇから突出する部分に連続し、かつ互いに同一の平面上に位置するように構成してある。以下、当接板部６１の室内に臨む見付け面を連結框２１の水密設定面２１Ａという。
【００３９】
障子ユニット２０の障子２２は、矩形状を成す面材７１の四周に上框（横框）７２、下框（横框）７３及び左右の縦框７４，７５を装着することによって構成したものである。連結框２１を介して連結される２枚の障子２２は、左右で対称となるように構成してある。障子２２を構成するそれぞれの框材７２，７３，７４，７５は、上述した枠材１１，１２，１３と同様、アルミニウム合金等の金属によって成形した金属框部７２Ａ，７３Ａ，７４Ａ，７５Ａと、樹脂によって成形した樹脂框部７２Ｂ，７３Ｂ，７４Ｂ，７５Ｂとを備えており、金属框部７２Ａ，７３Ａ，７４Ａ，７５Ａがいずれも室外側となる状態で框組を構成している。さらに、上框７２及び左右の縦框７４，７５には、樹脂によって成形した押縁部７２Ｃ，７４Ｃ，７５Ｃが設けられている。本実施の形態では、連結框２１の長手寸法とほぼ同一となるように、左右の縦框７４，７５の長手寸法が設定してある。面材７１は、例えば２枚のガラス板によって構成した複層ガラスであり、四周の縁部が金属框部７２Ａ，７３Ａ，７４Ａ，７５Ａと樹脂框部７３Ｂや押縁部７２Ｃ，７４Ｃ，７５Ｃとの間に構成される収容溝７２Ｄ，７３Ｄ，７４Ｄ，７５Ｄに収容してある。
【００４０】
框材７２，７３，７４，７５の樹脂框部７２Ｂ，７３Ｂ，７４Ｂ，７５Ｂは、それぞれの金属框部７２Ａ，７３Ａ，７４Ａ，７５Ａの室内に臨む部分の全面を覆うものである。それぞれの樹脂框部７２Ｂ，７３Ｂ，７４Ｂ，７５Ｂにおいて、枠タイト材１５に対向する部分は、もっとも室内側に突出した見付け面となっている。それぞれの見付け面は、見込み方向に直交する同一の鉛直面上に位置する平面であり、障子２２の水密設定面２２Ａを構成している。
【００４１】
上框７２の金属框部７２Ａ及び下框７３の金属框部７３Ａは、互いに上下で対称となる断面形状を有したものである。本実施の形態では、角筒状を成す框基部７２Ａａ，７３Ａａを有した金属框部７２Ａ，７３Ａを適用している。框基部７２Ａａ，７３Ａａにおいて外周側の水平壁部７２Ａｂ，７３Ａｂ及び内周側の水平壁部７２Ａｃ，７３Ａｃには、それぞれビスホール（ネジ螺合部）７６が設けてある。ビスホール７６は、それぞれの水平壁部７２Ａｂ，７３Ａｂ，７２Ａｃ，７３Ａｃの内周面において互いに対向する部位に設けたもので、金属框部７２Ａ，７３Ａの長手に沿った全長に形成してある。図からも明らかなように、本実施の形態では、金属框部７２Ａ，７３Ａを見込み方向に二等分する仮想の中心面に対して室内側に片寄った位置、つまり樹脂框部７２Ｂ，７３Ｂに近接した位置にビスホール７６が設けてある。
【００４２】
一方、上框７２の両端部及び下框７３の両端部が連結される左右の縦框７４，７５は、図３及び図４に示すように、縦枠１３もしくは可動方立枠２４に連結される縦框（以下、区別する場合に第１縦框７４という）と、連結框２１に連結される縦框（以下、区別する場合に第２縦框７５という）とで、金属框部７４Ａ，７５Ａが互いに異なる断面形状を有するように構成してある。具体的には、第１縦框７４は、金属框部７４Ａが単一の部材として一体成形してあり、第２縦框７５の金属框部７５Ａは、断熱材７５Ｅを挟んで室外側金属部分７５Ｆと室内側金属部分７５Ｇとが見込み方向に連結された構成となっている。図からも明らかなように、第２縦框７５は、面材７１よりも室外側となる部分にのみ室外側金属部分７５Ｆが設けてあり、見込み方向に沿った寸法において室内側金属部分７５Ｇの占める割合が大きい。
【００４３】
これら第１縦框７４の金属框部７４Ａ及び第２縦框７５の室内側金属部分７５Ｇは、面材７１の両側端面に対向する見込み側面（側面）７４Ａａ，７５Ａａが見込み方向に沿った平面状を成しており、上枠１１のビスホール７６に対向する部位及び下枠１２のビスホール７６に対向する部位にそれぞれネジ挿通孔７７が設けてある。図１３（ａ）、（ｂ）及び図１４に示すように、第１縦框７４においては、上方のネジ挿通孔７７が見込み側面７４Ａａに設けてある一方、下方のネジ挿通孔７７が突部７７Ａの中心に設けてある。逆に、第２縦框７５においては、上方のネジ挿通孔７７が突部７７Ａの中心に直接設けてある一方、下方のネジ挿通孔７７が見込み側面７５Ａａに設けてある。突部７７Ａは、ネジ挿通孔７７の周囲に突き出し加工を施すことによって構成したもので、縦框７４，７５の小口面に向けて突出している。
【００４４】
図３及び図４に示すように、第２縦框７５の金属框部７５Ａにはさらに、ヒンジヒレ部７８が一体に設けてある。ヒンジヒレ部７８は、障子２２のヒンジ要素となるものである。本実施の形態では、室内側金属部分７５Ｇにおいて外周側となる部位にヒンジヒレ部７８が設けてある。ヒンジヒレ部７８は、見込み方向に沿って直線状に延在し、樹脂框部７５Ｂを超えて室内側に延在した平板状を成すもので、延在縁部に障子側ヒンジ孔（連係部）７９を有している。障子側ヒンジ孔７９は、上下方向に沿って延在する断面円形の貫通孔であり、連結框２１に設けたヒンジブラケット４０の框側ヒンジ孔４４とほぼ同じ内径に構成してある。障子側ヒンジ孔７９の軸心（ヒンジ軸心）Ｃから室内側金属部分７５Ｇの外周側に位置する見込み面７５Ｇａまでの距離は、連結框２１においてヒンジブラケット４０に設けた框側ヒンジ孔４４の軸心Ｃから框タイト材５０の突出端縁までの距離よりも短くなるように設定してある。
【００４５】
図には明示していないが、このヒンジヒレ部７８は、カバー保持ヒレ部２１ｂと同様、第２縦框７５の上下両端部に位置する部分が切除してある。より具体的には、切除した部分の鉛直方向に沿う端面が樹脂框部７５Ｂの室内に臨む見付け面、つまり水密設定面２２Ａと同一の平面上となるようにヒンジヒレ部７８が切断してある。従って、上枠１１の枠タイト材１５及び下枠１２の枠タイト材１５に対しては、ヒンジヒレ部７８が干渉することなく、第２縦框７５を近接して対向配置することが可能である。
【００４６】
上記のように構成した框材７２，７３，７４，７５は、縦框７４，７５の相互間に上框７２及び下框７３を連結することによって框組を構成している。具体的には、縦框７４，７５に形成したネジ挿通孔７７を介して上框７２及び下框７３のビスホール７６に取付ネジＳを螺合するようにしている。
【００４７】
ここで、上述したように、第１縦框７４には下方のネジ挿通孔７７の周囲に突部７７Ａが設けてあり、第２縦框７５には上方のネジ挿通孔７７の周囲に突部７７Ａが設けてある。このため、上框７２及び下框７３は、それぞれの小口面が縦框７４，７５の見込み側面７４Ａａ，７５Ａａに当接した際にこれらの突部７７Ａによって第２縦框７５に向けて漸次上方となるように傾斜した姿勢となり、この姿勢を維持した状態で縦框７４，７５に取り付けられることになる。上框７２及び下框７３の傾斜角度は、突部７７Ａの突出量によって調整可能である。本実施の形態では、上框７２及び下框７３のそれぞれが０．３４°の傾斜角度をもつように突部７７Ａの突出量を設定するようにしている。突部７７Ａの突出量については、プレス機械によって突き出し加工をする際にポンチの位置を調整するだけで良いため、縦框７４，７５の製造作業が煩雑化するおそれはない。
【００４８】
連結框２１に対して、ヒンジヒレ部７８の障子側ヒンジ孔７９と、ヒンジブラケット４０の框側ヒンジ孔４４とが同一の軸心Ｃ上に位置した状態でヒンジ軸８０を挿通させれば、障子２２が回転可能に支持された障子ユニット２０が構成されることになる。
【００４９】
上記のように構成した障子ユニット２０においては、単一のヒンジブラケット４０に框側ヒンジ孔４４を２つ形成するようにしているため、障子２２の回転中心となる框側ヒンジ孔４４の軸心Ｃが連結框２１に対して所望の相対位置に正確に配置されることになる。従って、２枚の障子２２が連結框２１を挟んで互いに直線上に沿って配置された場合（以下、閉じ位置という）には、一方の障子２２の水密設定面２２Ａと、他方の障子２２の水密設定面２２Ａとが、連結框２１の水密設定面２１Ａに正確に合致した位置に配置された状態となる。またこのとき、それぞれの障子２２において第２縦框７５の外周側となる見込み面７５Ｇａに対して連結框２１の框タイト材５０が同一の押圧力で当接された状態となる。
【００５０】
しかも、上述の障子ユニット２０によれば、障子２２が閉じ位置に配置された状態においてヒンジ軸８０の軸心Ｃが水密設定面２１Ａ，２２Ａを超えて室内側に位置することになる。従って、障子２２と連結框２１との間にヒンジ軸８０の軸心Ｃを配置したものに比べて障子２２と連結框２１とを近接して連結することができ、左右方向に沿った寸法の小型化を図ることができる。
【００５１】
上述の障子ユニット２０は、室内側から見て左側に配置される障子２２の第１縦框７４を室内側から見て左側に配置される縦枠１３に対して開閉ヒンジ２３を介して取り付け、かつ室内側から見て右側に配置される障子２２の第１縦框７４を可動方立枠２４に対して開閉ヒンジ２３を介して取り付けることにより、折れ戸を構成する。開閉ヒンジ２３は、縦枠１３及び可動方立枠２４に対して障子２２が室内側に向けて突出するように回転可能とするものである。
【００５２】
上記のようにして、それぞれの障子ユニット２０を枠体１０に取り付けた状態においては、図１及び図３に示すように、２枚の障子２２が閉じ位置に配置された場合に、枠体１０の開口部が閉塞されることになる。このとき、それぞれの障子ユニット２０において水密設定面２１Ａ，２２Ａが見込み方向に対して直交し、かつ四周の枠タイト材１５に対して同時に当接される位置に配置される。なお、本実施の形態では、枠体１０に２組の障子ユニット２０を配設するようにしているため、一方の障子ユニット２０に対しては、上枠１１、下枠１２及び一方の縦枠１３に配設した３方の枠タイト材１５が当接されることになる。もう一方の障子ユニット２０に対しては、上枠１１、下枠１２及び他方の縦枠１３に配設した３方の枠タイト材１５が当接されることになる。
【００５３】
また、連結框２１の框タイト材５０は、上下両端部が枠タイト材１５に当接した状態で圧接部５２が第２縦框７５の外周側となる見込み面７５Ｇａに当接される。しかも、上述したように、第２縦框７５のヒンジヒレ部７８は、平板状を成す部分を切除している。従って、例えばプレス機械においてポンチ及びダイスを水密設定面２２Ａに合致させて切断することが可能となり、樹脂框部７５Ｂの室内に臨む見付け面との間に切り残しの段部が生じるおそれがない。これらの結果、枠タイト材１５が隙間無く当接されることになり、雨水等の室外の水が枠体１０と障子ユニット２０との間を通じて室内に浸入する事態を確実に防止することが可能となる。また、室外の空気が室内に進入する事態を防止することも可能である。さらに、連結框２１においては框筒部２１ａの見付け面２１ｄにキャップ部材６０を装着しているため、室内側において外部に露出する金属部分が切断したヒンジヒレ部７８の切断面のみとなり、外観品質の点でも有利となる。
【００５４】
上述の閉じ位置から連結框２１を室外側に押し操作すると、それぞれの障子２２がヒンジ軸８０の軸心Ｃを中心として回転するとともに、可動方立枠２４が左側の縦枠１３に近接する方向にスライドする。この結果、図４に示すように、２枚の障子２２が互いに折れ曲がって配置された状態（以下、開き位置という）となり、枠体１０の開口部を開放することが可能となる。
【００５５】
ここで、この開き位置においては、それぞれの障子２２が縦枠１３もしくは可動方立枠２４を介して片持ちの状態となり、第１縦框７４に対して第２縦框７５が垂れ下がった位置に配置される懸念がある。しかしながら、この折れ戸によれば、障子２２の上框７２及び下框７３が予め第２縦框７５に向けて漸次上方となるように傾斜させてある。つまり、第１縦框７４に対して予め第２縦框７５が上位となるように障子２２が組み立ててある。従って、仮に開き位置に配置された際に第２縦框７５が垂れ下がったとしても、第１縦框７４に対して第２縦框７５が下方に配置される事態を防止することが可能となる。しかも、互いに断面形状が異なる第１縦框７４及び第２縦框７５に突部７７Ａを形成することによって上框７２及び下框７３を傾斜させるようにしているため、障子２２を組み立てる際に上框７２及び下框７３の傾斜の方向が逆になるおそれがなく、上述の効果を容易、かつ確実に得ることが可能である。
【００５６】
なお、上述した実施の形態では、障子ユニット２０が２組の折れ戸を例示しているが、障子ユニットの数はこれに限定されない。また、ヒンジ軸８０によって互いに連結されるヒンジ要素４０，７８を例示しているが、これに限定されず、形材蝶番のようにヒンジ軸を有していないヒンジ要素を適用したものであっても構わない。さらに、上框７２及び下框７３としてビスホール７６を２つ有したものを例示しているが、ビスホールの数は２つに限らない。またさらに、ネジ挿通孔７７の周囲に突部７７Ａを設けるようにしているが、突部の位置は上框や下框の小口面に当接する部位であれば、その他の部位に設けても良い。
【００５７】
また、上述した実施の形態では、ヒンジ要素７８が設けられる枠材７５として、断熱材７５Ｅを挟んで室外側金属部分７５Ｆと室内側金属部分７５Ｇとが見込み方向に連結されたものを例示しているため、実施の形態のようにヒンジ要素７８が室内側に配置された場合にも当該ヒンジ要素７８に結露が生じる事態を招来するおそれがない。しかしながら、本発明は、必ずしもこれに限定されない。
【符号の説明】
【００５８】
１０  枠体、１５  枠タイト材、２１  連結框、２１Ａ，２２Ａ  水密設定面、２１ｆ  装着溝、２２  障子、４０  ヒンジブラケット、５０  框タイト材、６０  キャップ部材、６１  当接板部、６２  見込みカバー部、７２  上框、７３  下框、７４，７５  縦框、７４Ａａ，７５Ａａ  見込み側面、７５Ｅ  断熱材、７５Ｆ  室外側金属部分、７５Ｇ  室内側金属部分、７６  ビスホール、７７  ネジ挿通孔、７７Ａ  突部、７８  ヒンジヒレ部、７９  障子側ヒンジ孔、Ｃ  軸心、Ｓ  取付ネジ
【図１】
2019206831.tif 000003
【図２】
2019206831.tif 000004
【図３】
2019206831.tif 000005
【図４】
2019206831.tif 000006
【図５】
2019206831.tif 000007
【図６】
2019206831.tif 000008
【図７】
2019206831.tif 000009
【図８】
2019206831.tif 000010
【図９】
2019206831.tif 000011
【図１０】
2019206831.tif 000012
【図１１】
2019206831.tif 000013
【図１２】
2019206831.tif 000014
【図１３】
2019206831.tif 000015
【図１４】
2019206831.tif 000016
【図１５】
2019206831.tif 000017
【図１６】
2019206831.tif 000018